(57)【要約】【課題】駆動手段が不要でコンパクトな構成からなり、振動による騒音や画像ノイズの発生を防止して廃トナーを良好に搬送できるトナー回収装置を得る。【解決手段】感光体ドラムから除去された廃トナーを搬送する搬送部に搬送羽根２２を有するスクリュー２０を設け、該スクリュー２０の回転によって廃トナーを搬送するトナー回収装置。搬送羽根２２に対して針金状の撹拌部材３０が支点部３３を支点として回動自在に配置されている。撹拌部材３０は支点部３３と加振部３２と長尺の攪拌部３１とからなり、加振部３２には弾性部材３４が装着されている。搬送羽根２２の回転に基づいて弾性部材３４が振動し、該振動に基づいて撹拌部３１が搬送羽根２２に接離し、搬送羽根２２に付着した廃トナーを崩す。【選択図】図４
2008224726.tif 000002
【特許請求の範囲】
【請求項１】
像担持体の表面から残留トナーを除去するトナー回収装置において、
前記像担持体の表面から除去した廃トナーを搬送する搬送部と、
前記搬送部で廃トナーを搬送するための搬送羽根を有するスクリューと、
前記搬送羽根に対して接離自在に設けた撹拌部材と、
を備え、
前記撹拌部材は撹拌部と加振部とで構成され、
前記加振部には弾性部材が取り付けられており、
前記弾性部材が前記搬送羽根に接触して該搬送羽根の回転に基づいて振動し、該振動に基づいて前記撹拌部が搬送羽根に接離すること、
を特徴とするトナー回収装置。
【請求項２】
前記像担持体の表面から残留トナーを除去する部材はクリーニングブレードであることを特徴とする請求項１に記載のトナー回収装置。
【請求項３】
前記弾性部材は高密度ウレタンからなることを特徴とする請求項１又は請求項２に記載のトナー回収装置。
【請求項４】
前記撹拌部材は、針金を屈曲して撹拌部と加振部さらに振動支点部を一体的に形成し、
前記弾性部材は前記加振部に取り付けられていること、
を特徴とする請求項１ないし請求項３のいずれかに記載のトナー回収装置。
【発明の詳細な説明】
【技術分野】
【０００１】
本発明は、トナー回収装置、特に、複写機、プリンタ、ファクシミリなどの画像形成装置において感光体や中間転写ベルトなどの像担持体から残留トナーを回収するトナー回収装置に関する。
【背景技術】
【０００２】
通常、複写機、プリンタ、ファクシミリなどの画像形成装置においては、感光体ドラムの表面から転写されずに残留したトナーをクリーニングブレードなどによって除去し、この廃トナーを断面円弧形状の内壁部を有する搬送部に落とし込み、該搬送部に設けた搬送羽根を有するスクリューを回転駆動することにより廃トナー容器に回収するように構成されている。
【０００３】
ところで、この種のトナー回収装置にあっては、搬送羽根の表面に廃トナーが付着して良好な搬送を妨げ、搬送部で廃トナーが詰まるなどの問題点を有していた。従来では、ポリエステルフィルムからなる櫛歯状掻き落とし部材を搬送羽根に接触させ、廃トナーの詰まりを防止していた。しかし、近年では、トナーの小径化や低融点化に伴って廃トナーの嵩密度が高くなる傾向にあり、従来の櫛歯状の掻き落とし部材では、フィルムに変形が生じ、対応できなくなっている。
【０００４】
そこで、特許文献１には、感光体ドラム上から廃トナーを除去するブラシローラと搬送スクリューとの間に振動部材を設け、該振動部材で廃トナーの架橋を防止するようにしたクリーニング装置が提案されている。しかし、この装置では振動部材を振動させる駆動手段を必要として装置が大型化するとともに、振動による騒音や感光体ドラム上でピッチむらなどの画像ノイズが発生するという問題点を有している。
【特許文献１】特開平１０−３１９８１１号公報
【発明の開示】
【発明が解決しようとする課題】
【０００５】
そこで、本発明の目的は、駆動手段が不要でコンパクトな構成からなり、振動による騒音や画像ノイズの発生を防止して廃トナーを良好に搬送できるトナー回収装置を提供することにある。
【課題を解決するための手段】
【０００６】
以上の目的を達成するため、本発明に係るトナー回収装置は、
像担持体の表面から残留トナーを除去するトナー回収装置において、
前記像担持体の表面から除去した廃トナーを搬送する搬送部と、
前記搬送部で廃トナーを搬送するための搬送羽根を有するスクリューと、
前記搬送羽根に対して接離自在に設けた撹拌部材と、
を備え、
前記撹拌部材は撹拌部と加振部とで構成され、
前記加振部には弾性部材が取り付けられており、
前記弾性部材が前記搬送羽根に接触して該搬送羽根の回転に基づいて振動し、該振動に基づいて前記撹拌部が搬送羽根に接離すること、
を特徴とする。
【０００７】
本発明に係るトナー回収装置においては、撹拌部材が振動してスクリューの搬送羽根に接離し、搬送羽根に付着した廃トナーを崩す。それゆえ、搬送部へ移動した廃トナーの嵩密度が低くなり、廃トナーを詰まりを生じることなく良好にスクリューにて搬送することができる。しかも、撹拌部材は弾性部材が搬送羽根に接触して該搬送羽根の回転に基づいて振動するため、振動による衝撃が緩衝され、騒音や画像ノイズが発生することはない。さらに、撹拌部材に対して専用の駆動手段を必要とすることなく、装置をコンパクトに構成できる。
【０００８】
本発明に係るトナー回収装置において、前記像担持体の表面から残留トナーを除去する部材としてクリーニングブレードを用いてもよい。また、前記弾性部材としては高密度ウレタンを好適に用いることができる。さらに、前記撹拌部材として、針金を屈曲して撹拌部と加振部さらに振動支点部を一体的に形成すれば、容易にかつ簡単な構成で撹拌部材を製作できる。この場合、弾性部材は穴を形成して加振部に装着すればよい。
【発明を実施するための最良の形態】
【０００９】
以下、本発明に係るトナー回収装置の実施例について、添付図面を参照して説明する。
【００１０】
まず、図１を参照して本発明の一実施例であるトナー回収装置１の基本構成を示す。このトナー回収装置１は、矢印Ａ方向に回転駆動される感光体ドラム２に対して、ポリウレタンなどからなるクリーニングブレード１０を所定の圧力で接触させたもので、ブレード１０はケーシング１１の内壁面に固定されている。ケーシング１１は感光体ドラム２などを含むイメージングユニットの筐体を構成している。ケーシング１１の一部は断面円弧形状の凹部である搬送部１２とされ、図３及び図４に示すように、この搬送部１２にはシャフト２１に搬送羽根２２を螺旋状に形成したスクリュー２０が配置されている。
【００１１】
このような基本構成を備えたトナー回収装置１は、電子写真方式の複写機やプリンタなどの画像形成装置に従来から搭載されているものである。感光体ドラム２上に形成されたトナー像は図示しない用紙に転写され、転写されずに残留したトナーはクリーニングブレード１０によって除去される。除去された廃トナーは搬送部１２に落ち込み、スクリュー２０の回転（図４矢印Ｂ参照）に基づいて矢印Ｃ方向に搬送され、図示しない廃トナー容器に回収される。
【００１２】
ところで、近年では、トナーの小径化や低融点化に伴って廃トナーの嵩密度が高くなり、ブレード１０にて除去された廃トナーが搬送羽根２２の表面に付着して搬送部１２にて詰まってしまう。
【００１３】
そこで、本トナー回収装置１では、撹拌部材３０を搬送部１２に設けた。この撹拌部材３０は、図３及び図４に示すように、針金の両端部分を屈曲することにより、長尺状の撹拌部３１、直交方向に折れ曲がった加振部３２、振動支点部３３を形成したものである。加振部３２にはスポンジ状の弾性部材３４が取り付けられている。弾性部材３４は、円板状をなし、中心穴を支点部３３をくぐらせて加振部３２に装着されている。弾性部材３４としては、耐久性や弾性度の点で高密度ウレタンを用いることが好ましい。
【００１４】
撹拌部材３０は支点部３３がケーシング１１に形成した穴部１３（図１参照）に挿入され、長尺状の撹拌部３１が搬送羽根２２の外周面に対向し、支点部３３を支点として揺動自在である。弾性部材３４は搬送羽根２２の１ピッチの間に配置される。この状態における搬送羽根２２と撹拌部材３０の位置関係は図２（Ａ）に示すとおりであり、撹拌部３１は搬送羽根２２の外周面に接触している。
【００１５】
スクリュー２０が回転すると、弾性部材３４が搬送羽根２２によって上方に押し上げられ、図２（Ｂ）に最上点として示すように、撹拌部材３０は支点部３３を支点として上方に回動し、撹拌部３１が搬送羽根２２の外周面から離れる。さらに、スクリュー２０が回転すると弾性部材３４が搬送羽根２２の間に沈み込み、撹拌部材３０は支点部３３を支点として下方に回動し、撹拌部３１が搬送羽根２２の外周面に当接する。即ち、図２（Ａ）の状態に復帰する。
【００１６】
以上のごとく、本トナー回収装置１においては、スクリュー２０の１回転ごとに弾性部材３４が搬送羽根２２に接触して上下方向に振動し、該振動に基づいて撹拌部３１が搬送羽根２２の外周面に接離する。これにて、搬送羽根２２に付着した廃トナーが崩され、搬送部１２に落下する。搬送部１２に落下した廃トナーはその嵩密度が低くなり、詰まることなくスクリュー２０によって搬送部１２を矢印Ｃ方向に搬送される。
【００１７】
また、撹拌部材３０の振動は弾性部材３４が搬送羽根２２と接触して生じるため、振動による衝撃が緩和され、騒音をほとんど生じることがなく、感光体ドラム２上に形成されるトナー画像にノイズを発生させることもない。さらに、撹拌部材３０はスクリュー２０の回転に伴って振動するため、専用の駆動手段を必要とすることはなく、トナー回収装置１の大型化を回避できる。
【００１８】
（他の実施例）
なお、本発明に係るトナー回収装置は前記実施例に限定するものではなく、その要旨の範囲内で種々に変更することができる。
【００１９】
特に、本トナー回収装置は、感光体ドラムに限らず、カラー画像を形成するための中間転写ベルトなどの像担持体に適用することも可能である。また、像担持体上の残留トナーを除去する部材はクリーニングブレード以外であってもよい。
【００２０】
また、撹拌部材は複数の部材を組み合わせて形成してもよい。但し、前記実施例のごとく１本の針金で構成すれば、簡単な構造として容易に製作できる。また、弾性部材は撹拌部材の一端部にのみ設けてもよく、撹拌部材への取付け構造なども任意である。
【図面の簡単な説明】
【００２１】
【図１】本発明に係るトナー回収装置の基本構造を示す断面図である。
【図２】前記トナー回収装置における撹拌部材の動作説明図である。
【図３】前記トナー回収装置におけるスクリューと撹拌部材との関係を示す平面図である。
【図４】前記トナー回収装置におけるスクリューと撹拌部材との関係を示す斜視図である。
【符号の説明】
【００２２】
１…トナー回収装置
２…感光体ドラム
１０…クリーニングブレード
１２…搬送部
２０…スクリュー
２２…搬送羽根
３０…撹拌部材
３１…撹拌部
３２…加振部
３３…振動支点部
３４…弾性部材
【図１】
2008224726.tif 000003
【図２】
2008224726.tif 000004
【図３】
2008224726.tif 000005
【図４】
2008224726.tif 000006